(57)【特許請求の範囲】
【請求項１】
無線送受信ユニット（ＷＴＲＵ）によって行われるシステム情報を受信する方法であって、
前記方法は、
複数のシステム情報メッセージのそれぞれについてのシステム情報スケジューリングリストを含む第１のシステム情報ブロックをＥ−ＵＴＲＡＮ（evolved universal terrestrial radio access network）から受信するステップと、
前記システム情報メッセージの少なくとも１つの前記リストにおける順序を判定するステップと
を備えることを特徴とする方法。
【請求項２】
前記複数のシステム情報メッセージの少なくとも２つが同一の算出される送信時を有するかどうかを判定するステップと、
前記Ｅ−ＵＴＲＡＮによってシグナリングされる情報に基づいて複数の第２のシステム情報ブロックについての実際の送信時の順序を判定するステップと
をさらに備えることを特徴とする請求項１に記載の方法。
【請求項３】
前記Ｅ−ＵＴＲＡＮによってシグナリングされる前記情報は、前記第１のシステム情報ブロックに含まれることを特徴とする請求項２に記載の方法。
【請求項４】
実際の送信時の順序を判定する前記ステップは、前記第１のシステム情報ブロックにおける前記複数の前記第２のシステム情報ブロックのエントリの順序に基づくことを特徴とする請求項２に記載の方法。
【請求項５】
無線送受信ユニット（ＷＴＲＵ）であって、
複数のシステム情報メッセージのそれぞれについてのシステム情報スケジューリングリストを含む第１のシステム情報ブロックをＥ−ＵＴＲＡＮ（evolved universal terrestrial radio access network）から受信するように構成された受信機と、
前記システム情報メッセージの少なくとも１つの前記リストにおける順序を判定するように構成されたプロセッサと
を備えることを特徴とするＷＴＲＵ。
【請求項６】
前記複数のシステム情報メッセージの少なくとも２つが同一の算出される送信時を有するかどうかを判定することと、
前記Ｅ−ＵＴＲＡＮによってシグナリングされる情報に基づいて複数の第２のシステム情報ブロックについての実際の送信時の順序を判定することと
をさらに備えることを特徴とする請求項５に記載のＷＴＲＵ。
【請求項７】
前記Ｅ−ＵＴＲＡＮによってシグナリングされる前記情報は、前記第１のシステム情報ブロックに含まれることを特徴とする請求項６に記載のＷＴＲＵ。
【請求項８】
前記実際の送信時の順序は、前記第１のシステム情報ブロックにおける前記複数の前記第２のシステム情報ブロックのエントリの順序に基づいて決定されることを特徴とする請求項６に記載のＷＴＲＵ。
【発明の詳細な説明】
【技術分野】
【０００１】
本願は、無線通信に関する。
【背景技術】
【０００２】
３ＧＰＰ（ｔｈｅ  Ｔｈｉｒｄ  Ｇｅｎｅｒａｔｉｏｎ  Ｐａｒｔｎｅｒｓｈｉｐ  Ｐｒｏｊｅｃｔ）のＬＴＥ（Ｌｏｎｇ  Ｔｅｒｍ  Ｅｖｏｌｕｔｉｏｎ）プログラムの現在の目標は、新しいＬＴＥ設定および構成を用いて、新しい技術、新しいアーキテクチャ、および新しい方法を提供することである。これは、改善されるスペクトル効率、低減される遅延、および無線リソースのより効率的な利用をもたらし、より迅速感のあるユーザ体験とより豊富なアプリケーションおよびサービスを、より低コストで提供する。
【０００３】
システム情報が、無線リソース制御（ＲＲＣ：Ｒａｄｉｏ  Ｒｅｓｏｕｒｃｅ  Ｃｏｎｔｒｏｌ）層メッセージにおいて搬送される。ＲＲＣの機能の１つは、システム情報を放送することである。システム情報メッセージ（ＳＩ：Ｓｙｓｔｅｍ  ｉｎｆｏｒｍａｔｉｏｎ  ｍｅｓｓａｇｅｓ）は、１つ以上のシステム情報ブロック（ＳＩＢ：ｓｙｓｔｅｍ  ｉｎｆｏｒｍａｔｉｏｎ  ｂｌｏｃｋ）を搬送するＬＴＥ  ＲＲＣメッセージである。ＳＩに含まれるすべてのＳＩＢは、同一のスケジューリング要求（周期）を有し、各ＳＩＢは１セットの関連するシステム情報パラメータを包含する。システム情報が、ネットワークによって放送され、ターミナルによって獲得される。このようにして、システム情報は、特定のシステム情報メッセージに包含される１つまたは複数のＳＩＢに従って、ダウンリンクおよびアップリンクセル帯域幅についての情報、アップリンクまたはダウンリンクチャネル構成、ランダムアクセス送信に関連する詳細なパラメータ、アップリンク電力制御、および他の情報を含む。ＬＴＥシステムにおいて、発展型ＵＭＴＳ地上無線アクセス（Ｅ−ＵＴＲＡ：ｅｖｏｌｖｅｄ  ＵＭＴＳ（Ｕｎｉｖｅｒｓａｌ  ｍｏｂｉｌｅ  ｔｅｌｅｃｏｍｍｕｎｉｃａｔｉｎｓ  ｓｙｓｔｅｍ）  ｔｅｒｒｅｓｔｒｉａｌ  ｒａｄｉｏ  ａｃｃｅｓｓ）セルから送信することができるＳＩがたくさんある。
【０００４】
図１は、無線送受信ユニット（ＷＴＲＵ：ｗｉｒｅｌｅｓｓ  ｔｒａｎｓｍｉｔ  ｒｅｃｅｉｖｅ  ｕｎｉｔ）１１０と改善型ユニバーサル地上無線アクセスネットワーク（Ｅ−ＵＴＲＡＮ：ｅｎｈａｎｃｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ）（改善型Ｎｏｄｅ  Ｂ（ｅＮＢ）とも称される）１２０との間の従来型のシステム情報獲得手順１００を示す。定義されたＳＩＢの１つは、数が限定された最も高い頻度で送信されるパラメータを含む、ＭＩＢ（ｍａｓｔｅｒ  ｉｎｆｏｒｍａｔｉｏｎ  ｂｌｏｃｋ）１２５である。もう１つの定義されたＳＩＢは、他のＳＩ１３０がいつ送信されるか（開始時間）を示すスケジューリング情報を包含する、システム情報ブロック種類１（ＳＩＢ−１）１２８である。ＭＩＢ１２５は、放送チャネル（ＢＣＨ：ｂｒｏａｄｃａｓｔ  ｃｈａｎｎｅｌ）を用いて送信されるが、（ＳＩに包含される）他のＳＩＢ、およびＳＩＢ−１は、ダウンリンク共有チャネル（ＤＬ−ＳＣＨ）において搬送される。
【０００５】
ＷＴＲＵ１１０は、システム情報獲得手順１００を提供して、ｅＮＢ１２０によって放送されるＡＳ（ａｃｃｅｓｓ  ｓｔｒａｔｕｍ）およびＮＡＳ（ｎｏｎ−ａｃｃｅｓｓ−ｓｔｒａｔｕｍ）を獲得する。手順１００は、ＲＲＣアイドル（ＲＲＣ＿ＩＤＬＥ）状態におけるＷＴＲＵ１１０とＲＲＣ連結（ＲＲＣ＿ＣＯＮＮＥＣＴＥＤ）状態におけるＷＴＲＵ１１０とに適用する。
【０００６】
ＬＴＥにおいて、各ＳＩＢによって、従って各システム情報によって、チャネル構成やセル再選択測定構成などの、ＷＴＲＵの特定の機能性に関連する異なるカテゴリの情報の搬送を行う。その結果、システム情報におけるＳＩＢサイズおよび集約（ａｇｇｒｅｇａｔｉｏｎ）は、変化し得る。ＳＩＢサイズは、多数（Ｘ）の純粋なＬＴＥサブフレームによって搬送される。また、システムによってすべてのＳＩに割り当てられる送信ウィンドウは、同一の長さ、すなわち、ＬＴＥサブフレーム数（Ｙ）を有する。このようにして、ＳＩn送信ウィンドウ内において、ＹサブフレームのうちのＸサブフレームがＳＩn送信に用いられる。ここで、Ｘ≦Ｙ。以下、ＸサブフレームにおけるＳＩn送信を送信（Ｔｘ）サブフレームと称する。
【０００７】
新しいＬＴＥシステム情報方法は、等しい長さまたは等しいサイズのシステム情報送信ウィンドウ設計を利用する。それにより、システム情報送信ウィンドウ、それらのＴｘサブフレーム割り当て、および関連するシグナリング（ｓｉｇｎａｌｉｎｇ）詳細を指定するメカニズムおよびパラメータを提供するシステム情報放送送信ウィンドウを取り扱うための、方法および装置が望ましい。また、ＬＴＥシステム情報放送送信ウィンドウについてのｅＮＢ１２０送信とＷＴＲＵ１１０受信とを関連づけ、または同期化するための、シグナリングが望ましい。
【発明の概要】
【０００８】
システム情報送信ウィンドウにおいてサブフレームを割り当てるための方法および装置を提供し、該方法および装置は、システム情報送信ウィンドウの最初に送信サブフレームを連続的に割り当て、システム情報送信ウィンドウの最後に非送信サブフレームを割り当て、システム情報送信ウィンドウを送信する。また、システム情報メッセージの受信および順序付けのための方法および装置を提供する。
【図面の簡単な説明】
【０００９】
より詳細な理解は、添付の図面と共に例として与えられる以下の説明から得ることができる。
【図１】ＷＴＲＵとｅＮＢとの間の従来型のシステム情報獲得手順を示す図である。
【図２】一実施形態による、複数のＷＴＲＵおよび１つのｅＮＢを含む無線通信システム例を示す図である。
【図３】図２に示される無線通信システムのＷＴＲＵおよびｅＮＢの機能ブロック図である。
【図４Ａ】単一のウィンドウ内においてＴｘサブフレームをＴｘウィンドウの最初に割り当てることを示す図である。
【図４Ｂ】単一のウィンドウ内においてＴｘサブフレームをＴｘウィンドウの最後に割り当てることを示す図である。
【図５Ａ】偶数個のシステム情報送信ウィンドウの配置を示す図である。
【図５Ｂ】奇数個のシステム情報送信ウィンドウの配置を示す図である。
【図６Ａ】パックされた（ｐａｃｋｅｄ）送信サブフレームに対するオフセットを有するシステム情報送信ウィンドウを示す図である。
【図６Ｂ】システム送信サブフレームのためにビットマップを用いるシステム情報送信ウィンドウを示す図である。
【図７】スタガリング状況でシステム情報を受信して順序付けるための例示的な流れ図である。
【発明を実施するための形態】
【００１０】
以下で参照される場合、「無線送受信ユニット（ＷＴＲＵ：Ｗｉｒｅｌｅｓｓ  Ｔｒａｎｓｍｉｔ/Ｒｅｃｅｉｖｅ  Ｕｎｉｔ）」という用語には、それだけには限定されないが、ＵＥ（Ｕｓｅｒ  Ｅｑｕｉｐｍｅｎｔ）、移動局、固定式または携帯式の加入者ユニット、ページャ、セルラー電話、ＰＤＡ、コンピュータ、または無線環境で動作することができる他の任意のタイプのユーザ装置が含まれる。以下で参照される場合、「基地局」という用語には、それだけに限定されないが、Ｎｏｄｅ−Ｂ、サイトコントローラ、アクセスポイント（ＡＰ：Ａｃｃｅｓｓ  Ｐｏｉｎｔ）、または無線環境で動作することができる他の任意のタイプのインターフェイス装置が含まれる。
【００１１】
図２は、複数のＷＴＲＵ１１０およびｅＮＢ１２０を含む無線通信システム２００を示す。図２に示されるように、ＷＴＲＵ１１０は、ｅＮＢ１２０と通信している。図２において３つのＷＴＲＵ１１０および１つのｅＮＢ１２０が示されているが、無線通信システム２００に無線および有線の装置の任意の組み合わせを含むことができることに留意されたい。
【００１２】
図３は、図２に示される無線通信システム２００のＷＴＲＵ１１０およびｅＮＢ１２０の機能ブロック図３００である。図３に示されるように、ＷＴＲＵ１１０は、ｅＮＢ１２０と通信しており、ＷＴＲＵ１１０およびｅＮＢ１２０の双方は、システム情報送信ウィンドウにおいて連続的なＴｘサブフレームを割り当てるように構成される。
【００１３】
典型的なＷＴＲＵにおいて見つけることができる構成要素に加えて、ＷＴＲＵ１１０は、プロセッサ３１５、受信機３１６、送信機３１７、およびアンテナ３１８を含む。プロセッサ３１５は、システム情報送信ウィンドウにおいて連続的なサブフレームの受信を割り当てるための方法を実行するように構成される。受信機３１６および送信機３１７は、プロセッサ３１５と通信している。アンテナ３１８は、受信機３１６および送信機３１７の双方と通信しており、無線データの送信および受信を容易にするように構成される。
【００１４】
典型的なｅＮＢにおいて見つけることができる構成要素に加えて、ｅＮＢ１２０は、プロセッサ３２５、受信機３２６、送信機３２７、およびアンテナ３２８を含む。プロセッサ３２５は、システム情報送信ウィンドウにおいて連続的なＴｘサブフレームの送信を割り当てるための方法を実行するように構成される。受信機３２６および送信機３２７は、プロセッサ３２５と通信している。アンテナ３２８は、受信機３２６および送信機３２７の双方と通信しており、無線信号の送信および受信を容易にするように構成される。
【００１５】
図４Ａおよび４Ｂは、単一のシステム情報送信ウィンドウ内においてシステム情報の送信のためにＴｘサブフレームを割り当てることを示す図である。図４Ａを参照すると、Ｔｘサブフレームがシステム情報送信ウィンドウの最初にパックされ、そのあとは非Ｔｘサブフレームとなる。図４Ｂは、システム情報送信ウィンドウの最後にパックされたＴｘサブフレームを示し、一方、非ＴｘサブフレームがＴｘウィンドウの最初にパックされたことを示す。それにより、個々の非Ｔｘサブフレームをシステム情報Ｔｘウィンドウ内において一緒に集めて、重要なスリープ時間を提供して電力を節約することができる。システム情報またはＳＩＢの送信ウインドウがサブフレーム＃５においてＳＩＢ−１送信とインタリーブされていない（すなわち、重なっていないＴｘウィンドウの）場合、Ｔｘウィンドウにおけるシステム情報またはＳＩＢを、連続的なＴｘサブフレームを用いて送信する。
【００１６】
図５Ａおよび５Ｂがそれぞれ、偶数個および奇数個のシステム情報送信ウィンドウの配置内において、システム情報の送信のためにＴｘサブフレームおよび非Ｔｘサブフレームを連続的に割り当てることを示す。図５Ａを参照すると、偶数個のシステム情報送信ウィンドウ配置（例えば、２つのＴｘウィンドウ）が示される。１番目のシステム情報送信ウィンドウの連続的なＴｘサブフレームと、２番目のシステム情報送信ウィンドウの連続的なＴｘサブフレームとが、背中合わせで配置される。１番目のシステム情報送信ウィンドウ内において、Ｔｘサブフレームをそのウィンドウの最後に割り当てる。一方、次の２番目のシステム情報送信ウィンドウ内において、Ｔｘサブフレームをそのウィンドウの最初に割り当てる。
【００１７】
図５Ｂに参照すると、奇数個のシステム情報送信ウィンドウ配置（例えば、３つ）が示される。１番目のシステム情報送信ウィンドウの連続的なＴｘサブフレームが送信ウィンドウの最初に配置される。２番目のシステム情報送信ウィンドウの連続的なＴｘサブフレームが、２番目のウィンドウの最後に配置され、これにより、３番目のシステム情報送信ウィンドウの連続的なＴｘサブフレームとは背中合わせとなる。
【００１８】
Ｔｘサブフレームが背中合わせで配置される限り、図４Ａ、４Ｂ、５Ａ、および５Ｂに示される構成の他の代替も可能である。システム情報送信ウィンドウＹ内において、各システム情報のＴｘサブフレームの数Ｘは異なっても良い。標準送信帯域幅が用いられる場合に、Ｘの値を標準仕様によって決定することができる。Ｘの値がｅＮＢ１２０によってＷＴＲＵ１１０にシグナリングされることができる。システム情報送信ウィンドウのサブフレームの数もシグナリングされる場合に、Ｙの値がｅＮＢ１２０によってシグナリングされることができる。続出するシステム情報送信ウィンドウ（すなわち、スタガリングのシステム情報Ｔｘウィンドウ）が複数あるという条件で、更なる電力節約を実現することができる。
【００１９】
図６Ａは、システム情報送信ウィンドウの真中にあるＴｘサブフレームの位置を示す。システム情報送信ウィンドウの真中にある連続的なＴｘサブフレームを有することにより、送信の柔軟性を実現する。図６Ａは、予め定義され、またはｅＮＢ１２０によってシグナルされることができる、始めのＴｘサブフレームのオフセット６０５を示す。
【００２０】
あるいは、Ｔｘサブフレームの割り当てを間欠的に行うこともできる。ダウンリンク同期化チャネル（ＤＬ−ＳＣＨ：ｄｏｗｎｌｉｎｋ  ｓｙｎｃｈｒｏｎｉｚａｔｉｏｎ  ｃｈａｎｎｅｌ）が共有チャネルであるので、ＭＢＭＳサービスデータなど他のダウンリンクデータサービスまたは命令カテゴリのタイムクリティカルなダウンリンク送信を、システム情報放送データとインタリーブすることができる。つまり、システム情報のシステム情報サブフレームは、連続的でなくてもよい。関連サブフレームからのシステム情報またはＳＩＢを受信し、または復号するために、ＷＴＲＵ１１０のシステム情報またはＳＩＢ受信は、どちらのサブフレームが所望のシステム情報またはＳＩＢに関するか、およびどちらのサブフレームが所望のシステム情報またはＳＩＢに関しないかを知っている。
【００２１】
サブフレームが関連システム情報送信に用いられていない場合に、または他の任意の目的のために、ｅＮＢ１２０は、サブフレームにおいてシステム情報の不連続送信（ＤＴＸ：ｄｉｓｃｏｎｔｉｎｕｏｕｓ  ｔｒａｎｓｍｉｓｓｉｏｎ）を実行するように構成することができ、それにより、ＷＴＲＵ１１０のシステム情報放送受信がデータをシステム情報またはＳＩＢの一部として見なさないようになる。特定のサブフレームがｅＮＢ１２０によって関連システム情報送信に用いられていないが他の目的のために用いる場合、関連ＷＴＲＵ１１０システム情報のシステム情報受信は、非システム情報サブフレームにおいて不連続受信（ＤＲＸ：ｄｉｓｃｏｎｔｉｎｕｏｕｓ  ｒｅｃｅｐｔｉｏｎ）を実行するように構成することができ、それにより、システム情報またはＳＩＢ復号のために非システム情報サブフレームの非関連情報を受け取ったりしないようになる。ＷＴＲＵ１１０は、次にそれらの非システム情報サブフレームにおけるデータを、他の特定のデータサービス受信に関するものと見なす。
【００２２】
ｅＮＢ１２０とＷＴＲＵ１１０との間の送受信の協調または同期化は、各システム情報に対する標準仕様によって静的に実現することができる。システム情報送信ウィンドウに基づいて、または、ＳＩ群、もしくは予め定義された数のＬＴＥフレームの時間期間に対して、ｅＮＢ１２０とＷＴＲＵ１１０との間の送受信の協調または同期化を、システム情報自体を介して、または物理ダウンリンク制御チャネル（ＰＤＣＣＨ：ｐｈｙｓｉｃａｌ  ｄｏｗｎｌｉｎｋ  ｃｏｎｔｒｏｌ  ｃｈａｎｎｎｅｌ）を介してシステム情報送信ウィンドウＤＲＸビットマップとして、シグナリングすることができる。
【００２３】
図６Ｂは、システム情報Ｔｘサブフレームのためにビットマップを用いるシステム情報送信ウィンドウを示し、ＰＤＣＣＨ  ＤＴＸまたはＤＲＸビットマップシグナリングを説明する。システム情報ＴｘサブフレームＸとシステム情報ＴｘウィンドウサイズＹとの間の関係（ここで、Ｘ≦Ｙ）、およびＹビットのビットマップを用いて、Ｔｘウィンドウにおけるシステム情報Ｔｘサブフレームおよび非システム情報受信サブフレームを示すことができる。例えば、ＰＤＣＣＨシグナリングまたはＳＩＢシグナリングを介して、０に設定されたビットが非システム情報受信サブフレームを示すことができ、１に設定されたビットがシステム情報Ｔｘサブフレームを示すことができる（逆もまた同様である）。始めのＴｘサブフレーム６１０のオフセットは、予め定義され、またはシグナリングされることができる。ビットマップシグナリングをインタリーブされるＴｘウィンドウに適用することもできる。ビットマップシグナリングを、上述の任意の条件を示すことに適用することもできる。
【００２４】
図７は、システム情報がスタガリングされた場合にシステム情報を受信してＳＩを順序付けるための手順のただ単に例示的な流れ図７００を示す。ＷＴＲＵ１１０は、既知のまたは予め決定されたスケジュールでシステム情報ブロック種類１（ＳＩＢ−１）を受信する（ステップ７０５）ように構成される。ＷＴＲＵ１１０は、ＳＩＢによるシステム情報メッセージ組み合わせおよびシステム情報メッセージの周期が提供される、ＳＩＢ−１スケジューリングシステム情報から、種々のＳＩの算出されるシステム情報送信時点を決定する（ステップ７１０）ように構成される。種々のＳＩの送信時点を決定して、放送すべきシステム情報のフレーム番号を獲得する。時間領域におけるＳＩの出現時間を決定する必要がある。ＬＴＥフレーム番号、すなわち、算出される送信時点Ｚが、シークエンスフレーム番号（ＳＦＮ：sequence frame number）  ｍｏｄ  Ｎの関数を用いることにより、決定される。ここで、Ｎはシステム情報の周期である。Ｚの値は、０またはオフセット値とすることができる。
【００２５】
算出される送信時点Ｚが（上記のように）ＳＦＮ  ｍｏｄ  Ｎの値であり、および２つ以上のシステム情報の算出される送信時点Ｚ値が同一である時に、複数のスタガリングＳＩの状況が発生する（ステップ７１５）。この状況が発生するとき、時間領域におけるＳＩの出現時間を、スケジューリングＳＩＢにおける個々のシステム情報メッセージの出現順によって決定する（ステップ７２０）ことができる。時間領域におけるＳＩの出現時間が、ネットワークからシグナリングされることができる。システム情報送信ＬＴＥフレームおよびサブフレームを、獲得されたシステム情報順序付けを用いて計算する（ステップ７２５）。スタガリングＳＩが発生していない場合に、システム情報メッセージを実際のシステム情報送信時点で受信する（ステップ７３０）。上述のように、図７は、システム情報を受信して順序付けるための例示的な手順７００を示す。この手順例７００の他の変形が可能であることに留意されたい。
【００２６】
あるいは、複数のスタガリングＳＩの状況では、時間領域におけるＳＩの出現時間をシステム情報周期長さによって決定することができる。つまり、周期が短いほど、システム情報が時間領域においてより早く送信される。等しい周期長さを有するＳＩは、標準仕様において最小のシステム情報ブロック種類番号によって決定される。例えば、同一の周期長さを有する２つのＳＩがある場合に、最小のシステム情報ブロック種類番号３を有するシステム情報メッセージを、ＳＩＢ−４および／またはＳＩＢ−５などを有するシステム情報メッセージより前に送信することができる。
【００２７】
もう１つの代替は、ＳＩをそれらのＳＩＢ番号によって順序つける。順序は、システム情報ブロック種類番号が小さいほうのシステム情報メッセージを先に置くことより、決定することができる。ｅＮＢ１２０がＳＩのフレームの番号をＷＴＲＵ１１０に放送するように構成される。あるいは、順序を、システム情報ブロック種類番号が大きいほうのシステム情報メッセージが先になるように、決定することがきる。あるいは、順序を、標準仕様において定義された定義によって決定することができる。
【００２８】
0005433681.tif 000002
【００２９】
（実施形態）
１．システム情報送信ウィンドウにおいて送信サブフレームを割り当てるための方法であって、
前記システム情報送信ウィンドウの最初に送信サブフレームを連続的に割り当てるステップを備える方法。
【００３０】
２．前記システム情報送信ウィンドウの最後に非送信サブフレームを割り当てるステップと、
前記システム情報送信ウィンドウを送信するステップと
をさらに備える実施形態１に記載の方法。
【００３１】
３．複数のシステム情報送信ウィンドウ内において前記送信サブフレームを割り当てるステップをさらに備える実施形態１〜２のいずれかに記載の方法。
【００３２】
４．前記送信サブフレームおよび前記非送信サブフレームが、連続的に割り当てられる実施形態２〜３のいずれかに記載の方法。
【００３３】
５．送信サブフレームがシステム情報送信に用いられていないという条件で、前記用いられていない送信サブフレームが不連続送信（ＤＴＸ：ｄｉｓｃｏｎｔｉｎｕｏｕｓ  ｔｒａｎｓｍｉｓｓｉｏｎ）に用いられる実施形態１〜４のいずれかに記載の方法。
【００３４】
６．前記用いられていない送信サブフレームは、システム情報ブロックを介してネットワークから情報ビットマップにおいて示される実施形態５に記載の方法。
【００３５】
７．単一の送信時点（ｔｒａｎｓｍｉｔ  ｏｃｃａｓｉｏｎ）でスタガリングされる（ｓｔａｇｇｅｒｅｄ）システム情報メッセージ（ＳＩ：ｓｙｓｔｅｍ  ｉｎｆｏｒｍａｔｉｏｎ  ｍｅｓｓａｇｅ）送信ウィンドウが複数あるという条件で、ＳＩの順序がシステム情報ブロック（ＳＩＢ：ｓｙｓｔｅｍ  ｉｎｆｏｒｍａｔｉｏｎ  ｂｌｏｃｋ）番号の番号順によって決定される実施形態１〜６のいずれかに記載の方法。
【００３６】
８．システム情報を受信する方法であって、
複数のシステム情報メッセージおよび関連付けられたシステム情報ブロックのそれぞれに関するシステム情報スケジューリングリストおよび周期を含む、第１のシステム情報ブロックを受信するステップを備える方法。
【００３７】
９．前記複数のシステム情報メッセージのうち少なくとも２つが同一の算出される送信時点を有するか否かを決定するステップと、
前記複数のシステム情報ブロックのうち少なくとも２つが同一の算出される送信時点を有すると決定することに応じて、前記複数のシステム情報ブロックの実際の送信時点の順序を決定し、前記決定された実際の送信時点の順序に従って前記複数のシステム情報ブロックを受信するステップと
をさらに備える実施形態８に記載の方法。
【００３８】
１０．実際の送信時点の順序を決定することは、ネットワークによってシグナリングされる情報に基づく実施形態９に記載の方法。
【００３９】
１１．前記ネットワークによってシグナリングされる前記情報が、前記第１のシステム情報ブロックに包含される実施形態１０に記載の方法。
【００４０】
１２．実際の送信時点の順序を決定することは、前記第１のシステム情報ブロックにおける前記複数のシステム情報ブロックのエントリの順序に基づく実施形態９〜１１に記載の方法。
【００４１】
１３．無線送受信ユニット（ＷＴＲＵ：Ｗｉｒｅｌｅｓｓ  ｔｒａｎｓｍｉｔ  ｒｅｃｅｉｖｅ  ｕｎｉｔ）であって、
複数のシステム情報メッセージおよび関連付けられたシステム情報ブロックのそれぞれに関するシステム情報スケジューリングリストおよび周期を含む、第１のシステム情報ブロックを受信するように構成された受信機を備えるＷＴＲＵ。
【００４２】
１４．前記複数のシステム情報メッセージのうち少なくとも２つが同一の算出される送信時点を有するか否かを決定し、前記複数のシステム情報ブロックのうち少なくとも２つが同一の算出される送信時点を有すると決定することに応じて、前記複数のシステム情報ブロックの実際の送信時点の順序を決定するように構成されたプロセッサと、
前記決定された実際の送信時点の順序に従って前記複数のシステム情報ブロックを受信するようにさらに構成された受信機と、
をさらに備える実施形態１３に記載のＷＴＲＵ。
【００４３】
１５．前記実際の送信時点の順序が、ネットワークによってシグナリングされる情報に基づいて決定される実施形態１４に記載のＷＴＲＵ。
【００４４】
１６．前記ネットワークによってシグナリングされる前記情報が、前記第１のシステム情報ブロックに包含される実施形態１５に記載のＷＴＲＵ。
【００４５】
１７．前記実際の送信時点の順序が、前記第１のシステム情報ブロックにおける前記複数のシステム情報ブロックのエントリの順序に基づいて決定される実施形態１４〜１６に記載のＷＴＲＵ。
【００４６】
特徴および構成要素が特定の組合せで説明されたが、各特徴または構成要素は、他の特徴および構成要素を伴わずに単独で使用することができ、または他の特徴および構成要素を伴うもしくは伴わない様々な組合せで使用することができる。本明細書で提供された方法またはフローチャートは、汎用コンピュータまたはプロセッサによって実行される、コンピュータ読取り可能記憶媒体に具体的に組み込まれたコンピュータプログラム、ソフトウェア、またはファームウェアで実施することができる。コンピュータ読取り可能記憶媒体の例は、読取専用メモリ（ＲＯＭ）、ランダムアクセルメモリ（ＲＡＭ）、レジスタ、キャッシュメモリ、半導体メモリデバイス、内蔵ハードディスクおよび着脱可能ディスクなどの磁気媒体、光磁気媒体、ならびにＣＤ−ＲＯＭディスクおよびデジタル多用途ディスク（ＤＶＤ）などの光媒体を含む。
【００４７】
適切なプロセッサは、例を挙げれば、汎用プロセッサ、専用プロセッサ、従来型プロセッサ、デジタル信号プロセッサ（ＤＳＰ）、複数のマイクロプロセッサ、ＤＳＰコアと連携する１つもしくは複数のマイクロプロセッサ、コントローラ、マイクロコントローラ、特定用途向け集積回路（ＡＳＩＣ）、ＦＰＧＡ（Ｆｉｅｌｄ  Ｐｒｏｇｒａｍｍａｂｌｅ  Ｇａｔｅ  Ａｒｒａｙ）回路、他の任意のタイプのＩＣ、ならびに／または状態機械を含む。
【００４８】
ソフトウェアと連携するプロセッサは、無線送受信ユニット（ＷＴＲＵ：Ｗｉｒｅｌｅｓｓ  Ｔｒａｎｓｍｉｔ  Ｒｅｃｅｉｖｅ  Ｕｎｉｔ）、ＵＥ（Ｕｓｅｒ  Ｅｑｕｉｐｍｅｎｔ）、端末、基地局、無線ネットワークコントローラ（ＲＮＣ：Ｒａｄｉｏ  Ｎｅｔｗｏｒｋ  Ｃｏｎｔｒｏｌｌｅｒ）、または任意のホストコンピュータにおいて使用される無線周波数トランシーバを実施するために使用することができる。ＷＴＲＵは、カメラ、ビデオカメラモジュール、ビデオフォン、スピーカフォン、バイブレーションデバイス、スピーカ、マイクロフォン、テレビトランシーバ、ハンズフリーヘッドセット、キーボード、Ｂｌｕｅｔｏｏｔｈ（登録商標）モジュール、ＦＭ（Ｆｒｅｑｕｅｎｃｙ  Ｍｏｄｕｌａｔｅｄ）ラジオユニット、ＬＣＤ（Ｌｉｑｕｉｄ  Ｃｒｙｓｔａｌ  Ｄｉｓｐｌａｙ）ディスプレイユニット、ＯＬＥＤ（Ｏｒｇａｎｉｃ  Ｌｉｇｈｔ−ｅｍｉｔｔｉｎｇ  Ｄｉｏｄｅ）ディスプレイユニット、デジタル音楽プレーヤ、メディアプレーヤ、ビデオゲームプレーヤモジュール、インターネットブラウザ、および／または任意の無線ＬＡＮもしくはＵＷＢ（Ｕｌｔｒａ  Ｗｉｄｅ  Ｂａｎｄ）モジュールなど、ハードウェアおよび／またはソフトウェアで実施されるモジュールと併せて使用することができる。
【図１】
0005433681.tif 000003
【図２】
0005433681.tif 000004
【図３】
0005433681.tif 000005
【図４Ａ】
0005433681.tif 000006
【図４Ｂ】
0005433681.tif 000007
【図５Ａ】
0005433681.tif 000008
【図５Ｂ】
0005433681.tif 000009
【図６Ａ】
0005433681.tif 000010
【図６Ｂ】
0005433681.tif 000011
【図７】
0005433681.tif 000012